(57)【要約】      （修正有）【課題】梱包作業や開梱作業等の繁雑な作業を伴うことなく多数の電源ユニットを搬送し及び保管するのに好適な搬送装置を提供する。【解決手段】筐体４０に収容した収容位置と筐体から引き出した着脱位置とにスライド変位可能な棚部材６０を左右に並んで複数列設け、この棚部材に電源ユニット３０を整列状態で支持する整列部材７０、電源ユニットの左右の位置決めを行う位置決め部材８０、積載された電源ユニット３０を一括して係止する係止位置と着脱可能な開放位置とに変位可能なロックアングル９３を備え、ロックアングル９３を係止位置にしたときに、棚部材６０が収容位置と着脱位置との間でスライド変位自在に配設され、ロックアングル９３を開放位置にしたきにロックアングルの先端側が棚部材の側縁から外方に突出して当該棚部材６０のスライド変位が規制されるように搬送装置を構成する。【選択図】図１２
2007055775.tif 000002
【特許請求の範囲】
【請求項１】
予め部分組立され遊技機に組付けられる電源ユニットを筐体の内部に多数収容保持し、前記筐体の下部に設けられたキャスター車輪を利用して運搬可能に構成された電源ユニットの搬送装置であって、
前記筐体に左右に複数列並んで設けられ、それぞれ前記筐体の内部に収容した収容位置と前記筐体から前方に引き出した着脱位置とにスライド変位可能に配設された棚部材と、
前記棚部材の上面側に設けられ複数の前記電源ユニットを前後に並べた整列状態で支持する整列部材と、
前記棚部材の一方の側縁側に設けられ前記電源ユニットの左右方向の位置を規定する位置決め部材と、
前記棚部材の他方の側縁側に設けられ、前記整列部材及び前記位置決め部材により位置決めされて前記棚部材に支持された前記複数の電源ユニットを一括して係止する係止位置と前記電源ユニットを着脱自在な開放位置とに変位可能に配設されたロック部材とを備え、
前記ロック部材を前記係止位置に設定したときに前記棚部材が前記収容位置と前記着脱位置との間でスライド変位自在に配設され、前記ロック部材を前記開放位置に設定したきには前記ロック部材が前記他方の側縁から外方に突出して前記棚部材のスライド変位が規制されるように構成したことを特徴とする電源ユニットの搬送装置。
【請求項２】
前記複数の棚部材における一の棚部材を前記着脱位置に引き出して前記ロック部材を前記係止位置に設定したときに、当該一の棚部材と隣接する棚部材のスライド変位が、当該係止位置に設定されたロック部材により規制されるように構成したことを特徴とする請求項１に記載の電源ユニットの搬送装置。
【請求項３】
前記整列部材が発泡性樹脂材料を用いて形成され、運搬する際の振動を吸収し得るように構成したことを特徴とする請求項１または請求項２に記載の電源ユニットの搬送装置。
【発明の詳細な説明】
【技術分野】
【０００１】
本発明は、主として遊技機の製造工場において使用され、遊技機に組付けられる前に部分組立された状態の電源ユニットを多数積載して運搬可能に構成された電源ユニットの搬送装置に関する。
【背景技術】
【０００２】
スロットマシン等の遊技機では、従来から遊技機構成部品のユニット化が進展しており、電源ユニットやリールユニット、メダル払出ユニット、フロントマスクユニットなどの主要部品がユニット生産工場で予め部分組立されてユニット部品とされ、遊技機生産工場ではこのように部分組立されたユニット部品をキャビネットボックスに組み付けて製品化している。
【０００３】
電源ユニットは、遊技施設から供給される一次電源から、遊技機内の各構成部品に応じた各種電圧及び容量の二次電源を作り出して各部に供給するユニットであり、トランスやコンデンサ、フューズ等の電機・電子部品が実装された電源基板を主体とし、金属製のシールドケースに収められて全体として矩形箱状に構成されている。電源ユニットは、上記のようにユニット組立された状態でユニット生産工場から遊技機生産工場に搬入される。
【発明の開示】
【発明が解決しようとする課題】
【０００４】
ところが、従来では、ユニット生産工場及び遊技機生産工場の何れにおいても、電源ユニットを運搬し、保管するための装置が存在せず、一般的には、通い箱と称される箱に一定数量の電源ユニットをクッション材とともに収容して保管し、運搬時には通い箱ごと台車に積載して運搬し、あるいはパレット等に積載してフォークリフト等により搬送していた。このため、ユニット生産工場においては、通い箱やクッション材の準備と梱包作業、台車に積載しての移動、トラックへの荷積み等の工数が発生し、遊技機生産工場では、トラックの荷台からの荷下ろし、台車に積載して部品倉庫への移動及び保管、通い箱の開梱作業と通い箱及びクッション材の返却などの工数が発生し、作業が繁雑であるという問題があった。
【０００５】
とくに、遊技機に用いられる電源ユニットは、比較的小型でありながら重量物であり、また電子部品を含むため精密部品でもあることから、省スペースで効率的に搬送し及び保管することができ、輸送時の破損をも抑止可能な装置が望まれるが、このような装置は従来では存在しなかった。
【０００６】
本発明はこのような問題に鑑みてなされたものであり、繁雑な作業を伴うことなく多数の電源ユニットを搬送し及び保管するのに好適な搬送装置を提供することを目的とする。
【課題を解決するための手段】
【０００７】
上記目的達成のため、本発明は、予め部分組立され遊技機に組付けられる電源ユニットを筐体の内部に多数収容保持し、筐体の下部に設けられたキャスター車輪を利用して運搬可能に構成された電源ユニットの搬送装置である。この搬送装置では、筐体に左右に複数列並んで設けられ、それぞれ筐体の内部に収容した収容位置と筐体から前方に引き出した着脱位置とにスライド変位可能に配設された棚部材と、棚部材の上面側に設けられ複数の電源ユニットを前後に並べた整列状態で支持する整列部材と、棚部材の一方の側縁側に設けられ電源ユニットの左右方向の位置を規定する位置決め部材と、棚部材の他方の側縁側に設けられ、整列部材及び位置決め部材により位置決めされて棚部材に支持された複数の電源ユニットを一括して係止する係止位置と電源ユニットを着脱自在な開放位置とに変位可能に配設されたロック部材（例えば、実施形態におけるロックアングル９３）とを備え、ロック部材を係止位置に設定したときに棚部材が収容位置と着脱位置との間でスライド変位自在に配設され、ロック部材を開放位置に設定したきにはロック部材が他方の側縁から外方に突出して当該棚部材のスライド変位が規制されるように構成される。
【０００８】
なお、上記複数の棚部材における一の棚部材を着脱位置に引き出してロック部材を開放位置に設定したときに、当該一の棚部材と隣接する棚部材のスライド変位が、当該開放位置に設定されたロック部材により規制されるように構成することが望ましい。
【０００９】
また、整列部材が発泡性樹脂材料を用いて形成され、運搬する際の振動を吸収し得るように構成することが好ましい。
【発明の効果】
【００１０】
このように構成された電源ユニットの搬送装置では、筐体の内部に収容した収容位置と筐体から前方に引き出した着脱位置とにスライド変位可能な棚部材が左右に複数列並んで設けられ、各棚部材に設けられた整列部材と位置決め部材とにより前後に並んで整列状態で収容された複数の電源ユニットが、ロック部材により一括して係止された状態で収容保持される。このため、ユニット生産工場では、棚部材を筐体から着脱位置に引き出して順次電源ユニットを載置し、ロック部材を係止位置にセットして筐体内部に収容させる簡単な作業で、複数の電源ユニットを筐体内部に保管することができる。棚部材は左右に複数列設けられるとともに、筐体の下部にはキャスター車輪が設けられており、こうして筐体内部に収容保持された多数の電源ユニットを一度にかつ容易に搬送し、そのままトラックに積載して遊技機生産工場に運搬することができる。遊技機生産工場ではこの搬送装置を利用してそのまま電源ユニットを部品倉庫に保管でき、生産スケジュールに合わせて本体組立ラインに搬送して、棚部材を筐体から着脱位置に引き出して順次電源ユニットを取り出して本体に組付けることができる。従って、通い箱への梱包や開梱作業、台車を用いた搬送など、繁雑な作業を排除して多数の電源ユニットを一括して搬送し及び保管するのに好適な搬送装置を提供することができる。
【００１１】
また、ロック部材を係止位置に設定したときに棚部材が収容位置と着脱位置との間でスライド変位自在に配設され、ロック部材を開放位置に設定したきにロック部材が棚部材の側縁から外方に突出して当該棚部材のスライド変位が規制されるように構成される。このため、電源ユニットを棚部材に載置して筐体内部に収容させたときには、必ずロック部材が係止位置に設定されて棚部材上の複数の電源ユニット全てが係止された状態となり、輸送中の振動等で電源ユニットが跳動したり、棚部材から滑り落ちたりするようなことがなく、整列状態を保持して搬送することができる。
【００１２】
なお、一部の棚部材を着脱位置に引き出してロック部材を開放位置に設定したときに、当該棚部材と隣接する棚部材のスライド変位が、当該開放位置に設定されたロック部材により規制されるように構成すれば、電源ユニットの積載または取り出し作業中に隣接する棚部材が滑り出てくることを効果的に防止することができ、これにより、作業者が手を挟まれたり、電源ユニットの積載された棚部材が複数列前方に引き出されることで重量バランスが前方に偏って、搬送装置が前のめりに転倒するような事態を抑制することができる。
【００１３】
また、整列部材は発泡性樹脂材料を用いて形成し、運搬する際の振動を吸収し得るように構成することにより、緩衝材を装着する等の別途の作業を要することなく、精密部品とされる電源ユニットを保護して安定的に搬送し保管することができる。
【発明を実施するための最良の形態】
【００１４】
以下、本発明を実施するための形態について添付図面を参照しながら説明する。図１〜図３に、電源ユニットが搭載される遊技機の代表例として３リール型のスロットマシンを例示しており、まずこれらの各図を参照してスロットマシンの全体構成について概要説明する。ここで、図１はスロットマシンＳＭの正面図、図２はフロントマスク２０を開放し展開した状態で示すキャビネットボックス１０内部の正面図及びフロントマスクの背面図、図３はキャビネットボックス内部の斜視図である。
【００１５】
スロットマシンＳＭは、大別的には、キャビネットボックス１０と、このキャビネットボックス１０の前側に横開き開閉可能に組付けられたフロントマスク２０と、キャビネットボックス１０及びフロントマスク２０の各部に取り付けられた各種の遊技構成部品とからなり、全体として縦長方形の直方体状に形成される。
【００１６】
キャビネットボックス１０は、天板１０ａ，左右の側板１０ｂ，１０ｂ，底板１０ｃ，及び背板１０ｄを組み立てて前面開放の箱状に構成され、その内部に、三つのリール１１ａ，１１ｂ，１１ｃを回転及び停止作動させるリールユニット１１、所定の払い出し条件のもと遊技メダルの払い出しを行うメダル払出ユニット（メダル払出装置ないしホッパユニットなどとも称される）１２、スロットマシンＳＭの作動を統括的に制御する主制御基板が組み込まれた主基板ユニット１３、マシン各部に電力供給を行う電源ユニット３０などが取り付けられてマシン本体を構成する。
【００１７】
フロントマスク２０は、キャビネットボックス１０の開口面域全体を覆う大型のマスク本体２０ａに、補強用の金属フレーム２０ｂや施錠装置２０ｃ等がねじ止めされて扉状に形成される。マスク本体の各部には、三つのリール１１ａ，１１ｂ，１１ｃを所定図柄範囲に限って遊技者に透視させるガラス窓２１、遊技メダルを投入するメダル投入口２２、メダル投入口の受容・返却状態や受容した遊技メダルの計数等を行うメダルセレクタ２３、全リールの回動を開始させるスタートレバー２４、各リールに対応して設けられリールごとに回動を停止させるストップボタン２５ａ，２５ｂ，２５ｃ、遊技を演出するためのスピーカ２６、及び各種装飾ランプなどの遊技部品が取り付けられる。フロントマスク２０は、互いの左側縁上下に設けられたヒンジ機構１７，１７を利用してキャビネットボックス１０の前方に横開き開閉可能に取り付けられ、常にはキャビネットボックス１０の前面開口を覆って閉鎖施錠される。
【００１８】
キャビネットボックス１０の内部に取り付けられるリールユニット１１、メダル払出ユニット１２、主基板ユニット１３、電源ユニット３０等の各ユニットは、ユニットごとにユニット生産工場で組み立てられてユニット部品として遊技機生産工場に納入され、またフロントマスク２０についても遊技部品の大部分が組付けられた状態でユニット部品として遊技機生産工場に納入される。遊技機生産工場では、このようにして納入された各ユニット部品を、生産ラインにおいて順次キャビネットボックス１０に組み付け及びコネクタ配線し、実際の遊技動作を確認して出荷するようになっている。
【００１９】
このような概要構成のスロットマシンにおいて、電源ユニット３０は、遊技施設から供給される一次電源（一般的にはＡＣ２４Ｖの低圧電源）から、各構成部品の作動形態や制御形態に応じた５Ｖ〜３０Ｖ程度の適宜な各種電圧及び容量の二次電源を作り出して各部に供給するユニットである。図４(ａ)にパネルカバー３７を開放して分離した状態の電源ユニット３０の斜視図を、図４(ｂ)にパネルカバー３７を閉止した状態の電源ユニット３０の斜視図を示すように、電源ユニット３０は、トランスやコンデンサ、ダイオード、フューズ、Ｉ／Ｏコネクタ等の電機・電子部品が実装された電源基板（不図示）を主体とし、この電源基板が金属製のシールドケース３２に収容されて内部配線され、全体として矩形箱状に構成されている。
【００２０】
電源ユニット３０の前面には正面パネル３３が設けられており、ここにスロットマシン全体の作動をオン・オフする電源スイッチ３４や、作動段階設定を行うためのキースイッチ３５、各種の作動表示をするＬＥＤ３６などが設けられている。正面パネル３３には、不正行為を防止するための透明樹脂製のパネルカバー３７が揺動開閉及び着脱可能に取り付けられており、常には正面パネル３３の前面を覆って閉止保持される。電源ユニット３０の上面には複数のコネクタ差込口が前後方向に並設されており、これらのコネクタ差込口に差し込まれたコネクタケーブルがシールドケース内部の電源基板とコネクタ接続されるようになっている。
【００２１】
電源ユニット３０の下面側では、シールドケース３２の下辺が前方に延出されて固定脚部３８が形成されており、この固定脚部３８をキャビネットボックスの底板前縁に張られた保護シールド板１８にネジ固定することで、電源ユニット３０がキャビネットボックス１０に固定されるとともに、保護シールド板１８を介してアース接続されるようになっている。また電源ユニットの上面側では、シールドケース３２の上辺左縁が上方に曲折されて固定辺部３９が形成されており、キャビネットボックスの側板１０ｂにネジ固定されるようになっている。電源ユニット３０は、図４(ｂ)に示すように予めユニット組立された状態でユニット生産工場から遊技機生産工場に搬入される。
【００２２】
さて、このようにユニット組立された電源ユニット３０を搬送し、及び保管する際に用いられる電源ユニットの搬送装置ＨＳを図５〜図８に示しており、以下これらの各図を参照しながら本発明に係る電源ユニットの搬送装置（以下、「搬送装置」という）ＨＳについて説明する。なお、図５は搬送装置ＨＳの外観斜視図、図６(ａ)は装置前面の開閉扉４７を閉じた状態の搬送装置ＨＳの正面図、図６(ｂ)は開閉扉４７を取り外した状態の搬送装置ＨＳの正面図、図７は図６(ｂ)中のVII−VII矢視の側断面図、図８は天板を取り外して内部を示す搬送装置ＨＳの平面図である。
【００２３】
搬送装置ＨＳは、筐体４０と、この筐体に上下４段左右に３列並んで設けられそれぞれ筐体４０の内部に収容した収容位置と筐体から前方に引き出した着脱位置とにスライド変位可能に配設された棚部材６０と、各棚部材の上面側に８台の電源ユニット３０，３０…を前後に並べた整列状態で支持する整列部材７０と、棚部材の右側縁側に前後に延びて設けられ電源ユニット３０の左右方向の位置を規定する位置決め部材８０と、棚部材の左側縁側に前後に延びて設けられ整列部材７０及び位置決め部材８０により位置決め支持された８台の電源ユニット３０，３０…を一括して係止する係止位置と着脱自在な開放位置とに変位可能に構成されたロック機構９０とを備えて構成される。
【００２４】
筐体４０は、各複数の縦枠杆４１と横枠杆４２とを枠組みしてなる外殻直方体のフレーム構造になっており、例えば２０×４０mm程度の角形鋼管を所定寸法に切断し溶接して、全幅８６０mm×奥行き１４００mm×全高１７００mm程度の大きさに形成される。筐体内部は、前後の縦枠杆４１，４１を結んで固着された補強桟４３，４３…と、左右の補強桟４３，４３の間を結んで固着された支持桟４４，４４…とにより上下４段に区切られている。各段の支持桟４４上には、正面視コの字状に折り曲げられた一対のガイドレール４５、４５が、左右に所定間隔をおいて互いに内向きに対向し、前後に平行に延びて各３組ずつ固着されている。
【００２５】
筐体４０の上面、左右の側面、及び背面には、それぞれ天井パネル４６ａ、側面パネル４６ｂ、背面パネル４６ｃがネジ固定されている。これらのパネルは、例えば、板厚０．６〜１．２mm程度の鋼板やアルミ合金板等の金属板を、各面域の形状寸法に合わせたパネル形状に切断及び曲げ成形して構成される。側面パネル４６ｂ及び背面パネル４６ｃには筐体内部の棚位置に合わせて透明樹脂製の窓４６ｗ，４６ｗ…が装着されており、筐体内部に収容された電源ユニット３０の収容状況を目視確認可能になっている。
【００２６】
筐体４０の前面には、それぞれ左右の縦枠杆４１との間に設けられたヒンジ機構５０を介して、中央からそれぞれ左右側方に開く観音開き形態の開閉扉４７（４７Ｌ，４７Ｒ）が設けられている。開閉扉も上記同様パネル構造に形成されるとともに、上部二段の棚位置に合わせて透明樹脂製の窓４７ｗ，４７ｗが装着されている。ヒンジ機構５０は、図８中に丸印で囲み記号IXを付した正面右側の開閉扉４７Ｒの動作変位図（平面図）を図９に示し、(ａ)開閉扉４７Ｒを閉鎖した状態と(ｂ)開閉扉４７Ｒを１８０度開いた状態におけるヒンジ機構５０の各正面図を図１０(ａ)(ｂ)に示すように、二つの平型蝶番５１，５２を上下に連結した構成になっている。
【００２７】
すなわち、ヒンジピン５１ｐで枢結された平型蝶番５１の二片のヒンジ金具５１ａ，５１ｂのうち一方のヒンジ金具５１ｂと、ヒンジピン５２ｐで枢結された平型蝶番５２の二片のヒンジ金具５２ａ，５２ｂのうち一方のヒンジ金具５２ａとが、上下に延びる連結金具５３の上下に並んで固着され、平型蝶番５１の他方のヒンジ金具５１ａと平型蝶番５２の他方のヒンジ金具５２ｂとが、二本のヒンジピン５１ｐ，５２ｐを軸として相対揺動自在に連結されている。そしてこのように構成されたヒンジ機構５０における一方のヒンジ金具５１ａが筐体の縦枠杆４１に固定され、他方のヒンジ金具５２ｂが開閉扉４７Ｒに固定されて、開閉扉４７Ｒが筐体４０の前方に横開き開閉可能に取り付けられる。なおヒンジ機構５０は、左右の開閉扉４７Ｌ，４７Ｒの各側縁に上下一対、左右対称に設けられている。
【００２８】
上記ヒンジ機構５０を介して筐体４０に取り付けられた開閉扉４７は、図６(ａ)、図９中の矢印Ａ及び図１０(ａ)に示すように筐体４０の前面開口を塞ぐ閉鎖姿勢から、図９中の矢印Ｂ及び図１０(ｂ)に示すように、第１のヒンジピン５１ｐを揺動軸として９０〜１８０度展開した開放姿勢、及び図９中の矢印Ｃで示すように第２のヒンジピン５２ｐを揺動軸としてさらに９０度（閉鎖姿勢から２７０度）揺動させて、開閉扉４７Ｒ（４７Ｌ）が側面パネル４６ｂに沿って配設されるように屈折させた折りたたみ姿勢の間で、開閉自在に配設される。開閉扉４７には、左右の開閉扉を連結するかんぬき形態の施錠機構４８が設けられており、正面右側の開閉扉４７Ｒに左右にスライド変位自在に支持されたロックバーを左側の開閉扉４７Ｌのバー受容孔に嵌入することで、開閉扉４７Ｌ，４７Ｒが閉鎖姿勢に施錠保持されるようになっている。
【００２９】
このように、ヒンジ機構５０を用いた搬送装置ＨＳでは、開閉扉４７Ｌ，４７Ｒの開放姿勢において筐体４０の前面全体が広く開放されるため、後述する棚部材６０の出し入れを容易に行うことができる。また左右の開閉扉４７Ｌ，４７Ｒを、ともに側面パネル４６ｂ，４６ｂに沿って折りたたむことができるため、ユニット生産工場において組立完了した電源ユニット３０を順次積み込む際や、遊技機生産工場において遊技機組立の進捗状況に応じて電源ユニット３０を順次取り出して組付けるような際に、開放した開閉扉が周囲の作業者に支障を与えるようなことがなく、かつ開閉扉４７を閉鎖した状態における搬送装置ＨＳの投影面積とほとんど変わらない設置スペースで電源ユニット３０の着脱作業を行うことができる。
【００３０】
筐体４０の下部には、車輪の水平旋回が自在な自在キャスタ５６ａと、車輪の向きが固定された固定キャスタ５６ｂとが各２輪ずつ取り付けられており、このうち筐体後部に取り付けられた自在キャスタ５６ａには車輪の転動をロック可能なロック機構が設けられている。また、筐体４０の上部四隅には、上方に突出して角柱状の支持突起５７ａが設けられ、筐体４０の下部四隅には、支持突起５７ａと位置整合して下方に突出するとともに下端に皿状の受け部が固着された被支持突起５７ｂが設けられている。支持突起５７ａの上方への突出高さと被支持突起５７ｂの下方への突出高さとを合計した支持高さは、自在キャスタ及び固定キャスタの高さより幾分大きめに設定されており、４箇所の支持突起５７ａの上に、他の搬送装置の被支持突起５７ｂを係合させて支持させることで、キャスタの車輪が天井パネルと干渉することなく、複数台の搬送装置ＨＳを上下に縦積みできるようになっている。このため、複数台の搬送装置ＨＳを倉庫に保管するような場合に、この支持突起５７ａと被支持突起５７ｂとを利用して搬送装置を縦積みすることで保管スペースを半分以下に削減することができる。なお筐体４０の下部には静電気を地落させるためのアースチェーン５８が取り付けられており、搬送装置ＨＳが帯電して電源ユニット３０に損傷を与えないように構成されている。
【００３１】
さて、以上のように上下４段に区分けされた筐体４０に、収容位置と着脱位置とにスライド変位可能に配設された棚部材６０が、各段当たり３列並んで設けられている。図１１(ａ)〜(ｃ)に筐体４０から棚部材６０を着脱位置に引き出した状態の平面図(ａ)、棚部材に取り付けられるロックアングルの左側面図(ｂ)、及びロック機構を取り外した状態における棚部材の左側面図(ｃ)を示し、図１２に棚部材が収容位置にある状態の搬送装置の部分拡大図（正面図）を示す。
【００３２】
各棚部材６０は、幅２００mm×高さ２０mm×奥行き１３７０mm程度の大きさの棚板６１を主体として構成され、例えば、板厚０．６〜１．２mm程度の鋼板をパネル形状に曲げ成形して構成される。棚板６１の上面には、整列部材７０の左右方向幅に合わせて上方に開くコの字状に曲げ成形された整列部材受け６３，６３が前後に延びて左右平行に溶着されており、整列部材７０を支持固定する台座としての機能とともに、棚部材６０の撓みを抑制する補強リブとしての機能を併せ持った構成になっている。棚板６１の左右の側辺には、筐体の支持桟４４に固着された左右のガイドレール４５、４５と係合するカムフォロア６５，６５…が各側辺に５個ずつ所定間隔をおいて固定されている。
【００３３】
棚部材６０は、左右のカムフォロア６５，６５を筐体側の左右のガイドレール４５，４５の溝内に順次係合させて転入してゆくことで、筐体に取り付けられ、筐体４０の内部に収容した収容位置と、筐体４０から前方に引き出した着脱位置との間でスライド変位可能に配設される。筐体前方の支持桟４４には、収容位置にある棚板６１の前端下部と係脱可能な収容保持部材６７が昇降変位可能に装着されるとともに、図示省略する付勢手段により上方に付勢されており、常には筐体内部に収容された棚板６１の前端下部と係合し、棚部材６０を収容位置に係止保持して棚部材６０の滑り出しを防止する。
【００３４】
また棚部材６０の後端側には、棚板６１から上方に突出してストッパ６９が設けられる一方、ガイドレール４５の先端側には棚板上に延びて脱落防止ブロック４９が固着されており、棚部材６０をストロークの前端位置まで引き出したときに、ストッパ６９が脱落防止ブロック４９に当接して棚部材６０の前方へのスライド変位を規制し、棚部材６０が筐体４０から脱落しないようになっている。
【００３５】
整列部材７０は、図１１(ｃ)に示すように、凹溝状の電源保持部７３が前後方向に一定間隔で８箇所形成された櫛歯状をなし、前後左右が対称に形成された２本の整列部材７０，７０を左右一組として使用する構成例を示す。電源保持部７３は、電源ユニット３０の幅寸法に合わせて形成されており、電源ユニット３０を左右の電源保持部７３，７３に装着したときに、電源保持部７３の溝底面７３ｔにおいて電源ユニット３０の底面を支持し、左右の溝壁面７３ｓ，７３ｓにおいて電源ユニット３０の下部側面を前後に挟持して、電源ユニット３０が前後に位置決めされた状態で安定的に支持される。
【００３６】
整列部材７０は、例えばポリエチレンフォームやポリウレタンフォーム、各種ゴムスポンジ等の発泡性樹脂材料を加工成形して構成されており、電源ユニット３０を電源保持部７３に着脱する際に電源ユニット３０を整列部材７０の上部に当接させた場合の衝撃や、電源ユニット３０を収容した搬送装置ＨＳを運搬する際に筐体４０に作用する衝撃的な振動等を吸収して、電源ユニット３０が損傷を受けないように保護する構成になっている。なお、整列部材の概形を高分子ポリエチレンやポリアミドなどの樹脂材料、あるいはアルミ合金や鋼板などの金属材料で形成し、電源保持部７３の溝内面に上記のような発泡性樹脂材料を張り込んで、電源ユニット３０を保護するように構成しても良い。
【００３７】
棚部材６０の右側縁に、整列部材７０に支持された電源ユニット３０の左右方向の位置を規定する位置決め部材８０が前後に延びて設けられている。位置決め部材８０は、棚板６１の上面に固着された基部８１と、この基部８１からクランク状に曲折されたうえ上方に突出する背面支持部８３とを有して形成され、例えば板厚０．８〜１．２mm程度の鋼板を曲げ成形して構成される。このような曲折構造により、背面支持部８３は左右方向に一定の弾性を有して配設されており、電源支持部７３に支持された電源ユニット３０の後端部を当接支持して左右方向の位置決めをするとともに、搬送装置ＨＳを利用した運搬中に筐体４０に作用する左右方向の振動が、電源ユニット３０に直接伝達されないように弾性的に吸収し得る構成になっている。
【００３８】
なお、背面支持辺８３の上端部は右斜め上方に曲折されて誘導辺部が形成されており、電源ユニット３０を上方から電源支持部７３に装着したときに、電源ユニットが適切な装着位置よりも右方に位置する場合に、電源ユニット３０を左方に導いて後端部が背面支持部８３に位置決め支持されるように誘導する。
【００３９】
一方、棚部材６０の左側縁には、整列部材７０により前後方向に位置決めされて支持され、位置決め部材８０により左右方向に位置決めされた電源ユニット３０，３０…を棚部材６０に係止保持させるロック機構９０が設けられている。ロック機構９０は、正面視方向の要部断面図を図１３に、図１３中に付記するXIV〜矢視の断面図を図１４に示すように、棚板６１の左側縁に取り付けられたベースアングル９１と、このベースアングル９１に平型蝶番９２を介して揺動可能に連結されたロックアングル９３とを主体として構成される。
【００４０】
ベースアングル９１は、棚板６１の左側辺に沿って前後に延びるスライドベース部９１ａと、このスライドベース部９１ａの上端が左方に曲折されて水平に延びる跨設部９１ｂ、跨設部の左端が下向きに折り曲げられてスライドベース部と平行に延びるヒンジベース部９１ｃとからなり、例えば、板厚１〜１．６mm程度の鋼鈑やアルミ合金板等の金属板を曲げ成形して、カムフォロア６５を跨ぐコの字状に形成されている。スライドベース部９１ａは、カムフォロア６５の取り付け位置近傍が切り欠かれるとともに、ベースアングル９１を棚板６１に対して前後方向にスライド変位可能に取り付けるため、長辺幅２０mm程度の長孔状の取付孔９１ｈが所定間隔を置いて３箇所設けられている。
【００４１】
一方、棚板６１における左側辺の内側には、ベースアングルの３箇所の取付孔９１ｈと位置整合して雌ねじが形成されたナットプレート９５が溶着されており、ベースアングル９１を棚板左側辺に沿って配設し、つば付き円筒状のカラー９６を介してネジ９７を締め込むことで、ベースアングル９１が棚板６１に対して長孔の形成範囲で前後方向にスライド変位可能に取り付けられる（図１４では、後述する揺動操作位置における位置関係を示す）。
【００４２】
ロックアングル９３は、平型蝶番９２を介してヒンジベース部９１ｃと連結され前後に延びるヒンジプレート部９３ｃと、このヒンジプレート部９３ｃの下端が右方に曲折されて水平に延びる係止プレート部９３ｂ、係止プレート部９３ｂの右端側が電源ユニットの固定脚部３８の配設位置に合わせて切り欠かれ、その前後が下向きに折り曲げられて形成された６箇所のサポートプレート部９３ｓ、及び３箇所のロックプレート部９３ｒなどからなり、ベースアングル９１と同様の金属板を加工成形して正面視クランク状に構成されている。
【００４３】
ロックプレート部９３ｒは、サポートプレート部９３ｓよりも下方に延びて形成されるとともに、プレート下端部には先端半円形で舌片状のロック突起９３ｔが前方に突出して形成されている。一方、棚板６１の上面には、ロックプレート部９３ｒの下端部を受容し得る平面視矩形のロックプレート受容孔６１ｒが、ロックプレート部９３ｒの配設位置に対応して３箇所開口形成されている。
【００４４】
ベースアングル９１とロックアングル９３とは、ベースアングルのヒンジプレート部９１ｃとロックアングルのヒンジプレート部９３ｃとを平型蝶番９２，９２で接続することにより一体に連結され、平型蝶番のヒンジピンを軸心として上下に揺動自在にヒンジ連結される。そして、前述したように、ベースアングル９１を棚板左側辺に沿って配設し、つば付き円筒状のカラー９６を介してネジ９７を締め込むことで、平型ヒンジ９２によりヒンジ連結されたベースアングル９１及びロックアングル９３が前後方向にスライド変位可能に取り付けられ、ロック機構９０が構成される。
【００４５】
ロックアングル９３の各部は、ロックアングル９３を正面視時計回りに揺動させてサポートプレート部９３ｓの下端面を棚板６１の上面に係合させたときに、係止プレート部９３ｂが電源ユニットの固定脚部３８を上方から軽く押さえるように係合し、ロックプレート部９３ｒの下端部が棚板上面のロックプレート受容孔６１ｒに受容されるようになっている。
【００４６】
前述したように、ベースアングル９１は、長孔状の取付孔９１ｈにおいてカラー９６を介してネジ止めされ、棚板６１に対して前後方向にスライド変位可能に取り付けられている。このスライド範囲（より具体的には、取付孔９１ｈの形成範囲）は、図１３中のXV〜矢視の側断面図を図１５(ａ)に示すように、ロック突起９３ｔを含むロックプレート部９３ｒの下端部全体がロックプレート受容孔６１ｒの形成範囲に位置してロックアングル９３の上下揺動が自在な揺動操作位置から、図１５(ｂ)に示すように、ロック突起９３ｔが棚板上面の下側に入り込んで、ロックアングル９３の上下揺動が規制される係止位置の範囲で移動可能に設定されている。ロック機構９０は、棚部材６０の前方、中央及び後方に３箇所設けられている。
【００４７】
このため、ロック機構９０を揺動操作位置にしてロックアングル９３を上方に揺動待避させた状態で電源ユニット３０を棚部材に着脱することができ、ロックアングル９３を閉鎖方向に倒伏させて係止位置に設定すると、係止プレート部９３ｂが各電源ユニットの固定脚部３８，３８…を軽く押さえ、整列部材７０により前後方向に位置決めされて弾性的に支持され、位置決め部材８０により左右方向に位置決めされた各電源ユニット３０，３０…を一括して係止することができる。
【００４８】
ここで、ロック機構９０が係止位置に設定されている状態では、ロックアングル９３が棚板６１の左側縁に沿って棚板上に位置しており、各棚部材６０，６０…を筐体４０の内部に収容した収容位置と、筐体４０から前方に引き出した着脱位置とにスライド変位させることができる。
【００４９】
そして棚部材６０を筐体４０の前方に引き出した状態では、ロック機構９０を揺動操作位置にスライド変位させ、ロックアングル９３を揺動展開して電源ユニット３０の着脱を行うことができる。ロックアングル９３を揺動展開すると、図１２中の下段の左列及び中央、上段の右列について二点鎖線で示すように、係止プレート部９３ｂが水平に延び、ロックアングル９３の先端側が棚板６１から左方に突出した開放位置に配設される。この開放位置では、正面からの投影上において、右列及び中央列では左方に突出したロックアングル９３の先端部が左側に隣接する棚部材と干渉し、左列ではロックアングル９３の先端部が左側の縦枠杆４１と干渉するように各部寸法及び配設位置が設定されている。すなわち、ロックアングル９３を開放位置に展開した状態では、引き出した棚部材のスライド変位が規制されるように構成されている。
【００５０】
このため、電源ユニット３０，３０…を棚部材６０に載置して筐体４０の内部に収容する際には、ロックアングル９３を係止位置に設定しなければ棚部材６０を収容することができず、棚部材６０が筐体４０の内部に収容されたときには、ロックアングル９３が係止位置に設定されて棚部材上の電源ユニット３０，３０…全てが係止された状態を確保することができる。従って、搬送装置ＨＳに収容された電源ユニット３０が輸送中の振動等により跳動したり、棚部材６０から滑り落ちたりするようなことがなく、最大９６台の電源ユニット３０を、整列状態を保持して安定的に搬送し、保管することができる。
【００５１】
また、本構成の搬送装置ＨＳでは、上記のように、棚部材６０の収容時における電源ユニット３０のロック確保を、ロックアングル９３と筐体４０との関係ではなく、ロックアングル９３と隣接する棚部材との干渉関係により構成している。このため、一部の棚部材６０を着脱位置に引き出してロックアングル９３を開放位置に設定したときに、当該引き出された棚部材６０に隣接する棚部材のスライド変位が、当該開放位置に設定されたロックアングル９３によって規制される。従って、電源ユニット３０の積載または取り出し作業中に、ロックアングル９３と隣接する棚部材が滑り出てくるようなことがなく、これにより、作業者が手を挟まれたり、電源ユニット３０が積載された棚部材が多数前方に引き出されることで重量バランスが前方に偏って、搬送装置ＨＳが前のめりに転倒するような事態を抑制することができる。
【００５２】
なお、本実施形態では、棚部材６０を上下に４段、左右に３列、一列当たり８台の電源ユニットを積載可能な構成例を示したが、これらの段数や列数、一列当たりの積載数などは適宜変更して構成することができる。またロックアングルにおける係止プレート部９３ｂの下面側に発泡性樹脂やゴム製のシートを張り付けて、固定脚部３８を押さえるように構成すれば電源ユニット３０をさらに弾性的に支持することができる。
【００５３】
以上説明したように、本発明に係る電源ユニットの搬送装置ＨＳでは、筐体４０に収容した収容位置と筐体から引き出した着脱位置とにスライド変位可能な棚部材６０が左右に複数列並んで設けられ、整列部材７０及び位置決め部材８０により整列状態で収容された複数の電源ユニット３０，３０…が、ロックアングル９３により一括して係止された状態で収容保持される。このため、ユニット生産工場では、棚部材６０を着脱位置に引き出して順次電源ユニット３０を載置し、ロックアングル９３を係止位置にセットして筐体内部に収容させる簡単な作業で多数の電源ユニット３０，３０…を筐体内部に保管することができ、筐体下部に設けられたキャスタ５６ａ，５６ｂを利用して多数の電源ユニットを一度にかつ容易に搬送し、そのままトラックに積載して遊技機生産工場に運搬することができる。遊技機生産工場ではこの搬送装置ＨＳを利用して多数の電源ユニット３０，３０…を部品倉庫に保管でき、生産スケジュールに合わせて本体組立ラインに搬送して、順次電源ユニット３０を取り出して本体に組付けることができる。従って、通い箱への梱包や開梱作業、台車を用いた搬送など、従来繁雑とされた作業を排除して多数の電源ユニットを一括して搬送し及び保管するのに好適な搬送装置を提供することができる。
【００５４】
また、ロックアングル９３を係止位置に設定したときに、棚部材６０が収容位置と着脱位置との間でスライド変位自在に配設され、ロックアングル９３を開放位置に設定したきにロックアングルの先端側が棚部材の側縁から外方に突出して、当該棚部材６０のスライド変位が規制されるように構成されるため、棚部材６０を筐体４０の内部に収容させたときには、ロックアングル９３が係止位置に設定されて棚部材に積載された電源ユニット３０，３０…の全てが係止された状態となり、輸送中の振動等で電源ユニット３０が跳動したり、棚部材６０から滑り落ちたりするようなことがなく、整列状態を保持して搬送することができる。
【００５５】
なお、棚部材を引き出してロックアングル９３を開放位置に設定したときに、当該棚部材と隣接する棚部材のスライド変位が、当該開放位置に設定されたロックアングル９３により規制されるような構成によれば、電源ユニット３０の積載または取り出し作業中に隣接する棚部材が滑り出てくることを効果的に防止することができ、これにより、作業者が手を挟まれたり、重量バランスが前方に偏って搬送装置が前のめりに転倒するような事態を抑制することができる。また、整列部材７０を発泡性樹脂材料を用いて形成し、運搬する際の振動を吸収し得るように構成することにより、精密部品とされる電源ユニット３０を保護して安定的に搬送し保管することができる。
【図面の簡単な説明】
【００５６】
【図１】遊技機の代表例として示すスロットマシンの正面図である。
【図２】フロントマスクを開放した状態で示すキャビネットボックス内部の正面図及びフロントマスクの背面図である。
【図３】キャビネットボックス内部の斜視図である。
【図４】(ａ)はパネルカバーを開放して分離した状態における電源ユニットの斜視図、(ｂ)はパネルカバーを閉止した状態における電源ユニットの斜視図である。
【図５】電源ユニット搬送装置の外観斜視図である。
【図６】(ａ)は装置前面の開閉扉を閉じた状態の電源ユニット搬送装置の正面図、(ｂ)は開閉扉を取り外した状態の電源ユニット搬送装置の正面図である。
【図７】図６(ｂ)中のVII−VII矢視の側断面図である。
【図８】天板を取り外して内部を示す搬送装置の平面図である。
【図９】図８中に丸印で囲み記号IXを付した正面右側の開閉扉の動作変位図（平面図）である。
【図１０】開閉扉を閉鎖した状態(ａ)と１８０度開いた状態(ｂ)のヒンジ機構の正面図である。
【図１１】(ａ)は筐体から棚部材を着脱位置に引き出した状態の平面図、(ｂ)は棚部材に取り付けられるロックアングルの左側面図、(ｃ)はロック機構を取り外した状態における棚部材の左側面図である。
【図１２】棚部材が収容位置にある状態の搬送装置の部分拡大図（正面図）である。
【図１３】ロック機構の正面視方向の要部断面図である。
【図１４】図１３中に付記するXIV〜矢視の断面図である。
【図１５】図１３中に付記するXV〜矢視の側断面図であり、(ａ)はロックアングルが揺動操作位置にある状態、(ｂ)はロックアングルが係止位置にある状態を示す。
【符号の説明】
【００５７】
ＨＳ  搬送装置
ＳＭ  スロットマシン
１０  キャビネットボックス
（１０ａ  天板、１０ｂ  側板、１０ｃ  底板、１０ｄ  背板）
１１  リールユニット（１１ａ，１１ｂ，１１ｃ  リール）
１２  メダル払出ユニット
１３  主基板ユニット
１７  ヒンジ機構
１８  保護シールド板
２０  フロントマスク
（２０ａ  マスク本体、２０ｂ  金属フレーム、２０ｃ  施錠装置）
２１  ガラス窓
２２  メダル投入口
２３  メダルセレクタ
２４  スタートレバー
２５ａ，２５ｂ，２５ｃ  ストップボタン
２６  スピーカ
３０  電源ユニット
３２  シールドケース
３３  正面パネル
３４  電源スイッチ
３５  キースイッチ
３６  ＬＥＤ
３７  パネルカバー
３８  固定脚部
３９  固定辺部
４０  筐体
４１  縦枠杆
４２  横枠杆
４３  補強桟
４４  支持桟
４５  ガイドレール
４６ａ  天井パネル
４６ｂ  側面パネル
４６ｃ  背面パネル
４６ｗ  窓
４７  開閉扉
（４７Ｌ  正面左側の開閉扉、４７Ｒ  正面右側の開閉扉、４７ｗ  窓）
４８  施錠機構
４９  脱落防止ブロック
５０  ヒンジ機構
５１  平型蝶番（５１ａ，５１ｂ  ヒンジ金具、５１ｐ  ヒンジピン）
５２  平型蝶番（５２ａ，５２ｂ  ヒンジ金具、５２ｐ  ヒンジピン）
５３  連結金具
５６ａ  自在キャスタ
５６ｂ  固定キャスタ
５７ａ  支持突起
５７ｂ  被支持突起
５８  アースチェーン
６０  棚部材
６１  棚板（６１ｒ  ロックプレート受容孔）
６３  整列部材受け
６５  カムフォロア
６７  収容保持部材
６９  ストッパ
７０  整列部材
７３  電源保持部（７３ｓ  溝側面、７３ｔ  溝底面
８０  位置決め部材
８１  基部
８３  背面支持部
９０  ロック機構
９１  ベースアングル
（９１ａ  スライドベース部、９１ｂ  跨設部、９１ｃ  ヒンジベース部、９１ｈ  取付孔）
９２  平型蝶番
９３  ロックアングル
（９３ｂ  係止プレート部、９３ｃ  ヒンジプレート部、９３ｒ  ロックプレート部、９３ｓ  サポートプレート部、９３ｔ  ロック突起）
９５  ナットプレート
９６  カラー
９７  ネジ
【図１】
2007055775.tif 000003
【図２】
2007055775.tif 000004
【図３】
2007055775.tif 000005
【図４】
2007055775.tif 000006
【図５】
2007055775.tif 000007
【図６】
2007055775.tif 000008
【図７】
2007055775.tif 000009
【図８】
2007055775.tif 000010
【図９】
2007055775.tif 000011
【図１０】
2007055775.tif 000012
【図１１】
2007055775.tif 000013
【図１２】
2007055775.tif 000014
【図１３】
2007055775.tif 000015
【図１４】
2007055775.tif 000016
【図１５】
2007055775.tif 000017